(57)【要約】【課題】  タール分やダストが含まれているコークス炉ガスを圧縮するＣＯＧ圧縮機に用いられ、簡単に内部を洗浄することができるサイレンサーを提供する。【解決手段】  サイレンサー１を、円筒状のケーシング用筒体３と、このケーシング用筒体３の一方を閉塞するガス入側蓋板４、および他方を閉塞するガス出側蓋板５とからなるケーシング２内に、複数の環状セグメント部材７を積層状に収容し、これら複数の環状セグメント部材７を、これら複数の環状セグメント部材７を挿脱自在に貫通するタイロッド部材６に着脱されるナット６ａにより一体的に締結すると共に、前記ガス出側蓋板５をボルト、あるいは植込みボルトとナット等の機械的締結手段により着脱自在に締結する構成とする。【選択図】        図１
2005171967.tif 000002
【特許請求の範囲】
【請求項１】
ケーシング用筒体と、このケーシング用筒体の一方を閉塞するガス入側蓋板および他方を閉塞するガス出側蓋板とからなるケーシング内に、複数のセグメント部材が積層されて収容され、これら複数のセグメント部材がこれらセグメント部材を挿脱自在に貫通するタイロッド部材に着脱される締結手段により一体的に締結されてなり、さらに前記ガス入側蓋板またはガス出側蓋板のうちの少なくとも一方は、前記ケーシング用筒体に着脱自在に固着されるように構成されてなることを特徴とするサイレンサー。
【請求項２】
前記セグメント部材は、セグメント筒体と、それぞれの外縁部が前記セグメント筒体の両端部に連なり、このセグメント筒体と同心の中抜き穴を有し、前記タイロッド部材が貫通する貫通孔を有する２枚の中抜き板と、これらセグメント筒体と２枚の中抜き板とに囲まれる空間に吸音材が充填されてなることを特徴とする請求項１に記載のサイレンサー。
【請求項３】
前記２枚の中抜き板の中抜き穴に両端部が連なり、かつ前記セグメント筒体より小寸の筒形状に形成された多孔板からなる内側筒体を有してなることを特徴とする請求項２に記載のサイレンサー。
【請求項４】
前記セグメント部材は、セグメント筒体と、このセグメント筒体の一方の端部に外縁部が連なり、このセグメント筒体と同心の中抜き穴を有し、かつ前記タイロッド部材が貫通する貫通孔を有する中抜き板とから構成されてなることを特徴とする請求項１に記載のサイレンサー。
【請求項５】
前記セグメント部材は、前記ケーシング内に組込まれたときに、ケーシングの内壁との間に隙間が生じる外径になるように筒形状に形成された多孔板からなるセグメント筒体と、このセグメント筒体の一方の端部に接合され、前記セグメント筒体と同心の中抜き穴を有し、かつ前記タイロッド部材が貫通する貫通孔を有する中抜き板とから構成されてなることを特徴とする請求項１に記載のサイレンサー。
【発明の詳細な説明】
【技術分野】
【０００１】
本発明は、サイレンサーの改善に係り、より詳しくは、タール分やダスト等の不純物を含む汚れたガスを圧縮する圧縮機に用いるサイレンサーに関するものである。
【背景技術】
【０００２】
中型以上の圧縮機では、吐出される圧縮ガスの低騒音化を図るためにガス吐出管の途中にサイレンサーが介装されている。サイレンサーには２種類の形式のもの、具体的には拡張音式サイレンサーと吸音式サイレンサーとがあるが、減音性能に関しては下記のような相違がある。拡張音式サイレンサーは減音周波数範囲が決まっているために範囲外の騒音に対する減音性能が劣るが、吸音式サイレンサーは広範囲の周波数に対する吸音性能が優れている。ところが、吸音式サイレンサーは、吸音材に液体が吸収されると吸音性能が大幅に低下するため、吸音式サイレンサーより減音性能が劣るにもかかわらず、例えば油分を含むガスを吐出する油冷式スクリュ圧縮機には、一般に拡張音式サイレンサーを採用することが多い。しかしながら、油分を含むガスを吐出する油冷式スクリュ圧縮機に用い得るようにした吸音式サイレンサーも知られており、以下そのような吸音式サイレンサーを、その模式的側面断面図の図１２と、図１２のＤ−Ｄ線断面図の図１３とを参照しながら説明する。
【０００３】
上記従来例に係る吸音式サイレンサー５１は、円筒状のケース５２と、このケース５２に内設される吸音材とからなっている。より詳しくは、前記ケース５２は、円筒体５２ａの一端側に、この円筒体５２ａの径方向の中心をとおる中心線と同心に、孔付蓋板５２ｂを介して入口管５２ｃが接続されている。また、円筒体５２ａの他端側に閉塞板５２ｄが設けられると共に、この閉塞板５２ｄの近接した位置において、円筒体５２ａと直交する方向に出口管５２ｅが突設され、これら両管５２ｃ、５２ｅの先端にはそれぞれ吐出管を接続するための接続フランジ５２ｈが固着されている。
【０００４】
一方、出口管５２ｅの接続部位の出口開口部を除くケース５２の内周面に筒状の後述する構成になる吸音材５３が、また閉塞板５２ｄの内面に円盤状の吸音材５４が固着されている。前記筒状の吸音材５３には、円筒状に形成されると共にその周方向の一部に長手方向に沿う所定の切欠５３ａが設けられており、この筒状の吸音材５３は切欠５３ａを下側にしてケース５２内に収容されている。そのため、この切欠５３ａとケース５２の下部内周面とにより形成される流路を油と水分とからなる混合液Ｗが流れるようになっている。
従って、この従来例に係る吸音式サイレンサー５１によれば、吸音材５３に吸収される混合液Ｗの吸収量を減少させることができるので、長期間にわたって所期の吸音効果を継続することができる（例えば、特許文献１参照。）。
【特許文献１】特開平４−２３１６９２号公報
【発明の開示】
【発明が解決しようとする課題】
【０００５】
上記従来例に係る吸音式サイレンサーは、吸音材に吸収される混合液の吸収量を減少させることができ、長期間にわたって所期の吸音効果を継続することができるので、極めて優れていると考えられる。ところで、例えばＣＯＧ（コークス炉ガス）圧縮機の場合タール分やダストが含まれているコークス炉ガスを圧縮するのであるから、吸音式サイレンサーの内部をタール分やダストが含まれているコークス炉ガスが通過する。すると、コークス炉ガスに含まれているタール分やダスト（以下、不純物という。）が吸音材や内部に付着して吸音式サイレンサーの吸音効果が低下してしまう。勿論、拡張音式サイレンサーであったとしても、不純物が内部に蓄積して吸音効果が低下する。
【０００６】
従って、何れの形式のサイレンサーであっても、所期の吸音効果を継続するために、その内部を定期的に洗浄して蓄積物を除去する必要がある。しかしながら、従来例に係るサイレンサーの場合には、それらの構成に係る上記説明から良く理解されるように一体構成になっており、外部から洗浄することができない構成になっている。そのため、どうしても洗浄する必要がある場合にはサイレンサーを切断すると共に洗浄した後に溶接により復元し、再使用に供したり、一般的には新品と交換するようにしており、メンテナンスに関して、作業に非常に手間がかかったり、コストが嵩む等の問題があった。
【０００７】
従って、本発明の目的は、上述のメンテナンスに係る問題を解消し、簡単に内部を洗浄することを可能ならしめるようにしたサイレンサーを提供することである。
【課題を解決するための手段】
【０００８】
本発明は、上記課題を解決するためになされたものであって、従って本発明の請求項１に係るサイレンサーが採用した手段は、ケーシング用筒体と、このケーシング用筒体の一方を閉塞するガス入側蓋板および他方を閉塞するガス出側蓋板とからなるケーシング内に、複数のセグメント部材が積層されて収容され、これら複数のセグメント部材がこれらセグメント部材を挿脱自在に貫通するタイロッド部材に着脱される締結手段により一体的に締結されてなり、さらに前記ガス入側蓋板またはガス出側蓋板のうちの少なくとも一方は、前記ケーシング用筒体に着脱自在に固着されるように構成されてなることを特徴とするものである。
【０００９】
本発明の請求項２に係るサイレンサーが採用した手段は、請求項１に記載のサイレンサーにおいて、前記セグメント部材は、セグメント筒体と、それぞれの外縁部が前記セグメント筒体の両端部に連なり、このセグメント筒体と同心の中抜き穴を有し、前記タイロッド部材が貫通する貫通孔を有する２枚の中抜き板と、これらセグメント筒体と２枚の中抜き板とに囲まれる空間に吸音材が充填されてなることを特徴とするものである。
【００１０】
本発明の請求項３に係るサイレンサーが採用した手段は、請求項２に記載のサイレンサーにおいて、前記２枚の中抜き板の中抜き穴に両端部が連なり、かつ前記セグメント筒体より小寸の筒形状に形成された多孔板からなる内側筒体を有してなることを特徴とするものである。
【００１１】
本発明の請求項４に係るサイレンサーが採用した手段は、請求項１に記載のサイレンサーにおいて、前記セグメント部材は、セグメント筒体と、このセグメント筒体の一方の端部に外縁部が連なり、このセグメント筒体と同心の中抜き穴を有し、かつ前記タイロッド部材が貫通する貫通孔を有する中抜き板とから構成されてなることを特徴とするものである。
【００１２】
本発明の請求項５に係るサイレンサーが採用した手段は、請求項１に記載のサイレンサーにおいて、前記セグメント部材は、前記ケーシング内に組込まれたときに、ケーシングの内壁との間に隙間が生じる外径になるように筒形状に形成された多孔板からなるセグメント筒体と、このセグメント筒体の一方の端部に接合され、前記セグメント筒体と同心の中抜き穴を有し、かつ前記タイロッド部材が貫通する貫通孔を有する中抜き板とから構成されてなることを特徴とするものである。
【発明の効果】
【００１３】
本発明の請求項１乃至５に係るサイレンサーは、上記のとおり、ケーシング用筒体と、このケーシング用筒体の一方を閉塞するガス入側蓋板および他方を閉塞するガス出側蓋板とからなるケーシング内に、複数のセグメント部材が積層されて収容され、これら複数のセグメント部材がこれらセグメント部材を挿脱自在に貫通するタイロッド部材に着脱される締結手段により一体的に締結されてなり、さらに前記ガス入側蓋板またはガス出側蓋板のうちの少なくとも一方は、前記ケーシング用筒体に着脱自在に固着されるように構成されている。
【００１４】
従って、本発明の請求項１乃至５に係るサイレンサーによれば、ガス入側蓋板またはガス出側蓋板のうちの少なくとも一方をケーシング用筒体から取外し、タイロッド部材から締結手段を取外すことにより、積層状に組込まれている複数のセグメント部材をケーシング内から個別に取出すことができる。そして、取出したセグメント部材を洗浄すると共に、ケーシングの内部を洗浄し、ケーシング内にセグメント部材を組込み、タイロッド部材に締結手段を取付けた後に、取外したガス入側蓋板またはガス出側蓋板をケーシング用筒体に取付けることによりサイレンサーを元の状態に復元することができる。勿論、新品のセグメント部材に交換することもできる。
【発明を実施するための最良の形態】
【００１５】
以下、本発明を実施するための形態１に係るサイレンサーを、添付図面を参照しながら説明する。図１は本発明の形態１に係るサイレンサーの側面断面図、図２はサイレンサーの環状セグメント部材の側面断面図、図３は図２のＡ矢視図である。
【００１６】
図１に示す符号１は、サイレンサーであって、このサイレンサー１は、後述する構成になるケーシング２を備えている。このケーシング２は、円筒状のケーシング用筒体３と、この円筒状のケーシング用筒体３の一方を閉塞するガス入側蓋板４、および他方を閉塞するガス出側蓋板５とから構成されている。前記ガス入側蓋板４はケーシング用筒体３の一方を閉塞する蓋部材４ａと、この蓋部材４ａの径方向の中心に突設されてなる管状のガス入口４ｂとから構成されており、これら蓋部材４ａとガス入口４ｂとケーシング用筒体３とは一体的に形成されている。また、前記ガス出側蓋板５は筒体３の他方に、図示しないボルト、あるいは植込みボルトとナット等の機械的締結手段により着脱自在に取付られて、ケーシング用筒体３の開口を閉塞する蓋部材５ａと、この蓋部材５ａの径方向の中心に突設されてなる管状のガス出口５ｂとから構成されており、これら蓋部材５ａとガス出口５ｂとは一体的に形成されている。
【００１７】
ところで、本発明の形態１の場合には、上記のとおり、ガス出側蓋板５がボルト、あるいは植込みボルトとナット等の機械的締結手段によりケーシング用筒体３に着脱自在に取付られるように構成されている。しかしながら、ガス入側蓋板４がボルト、あるいは植込みボルトとナット等の機械的締結手段により、ケーシング用筒体３に着脱自在に取付られるように構成されていても良い。なお、前記ガス入側蓋板４の蓋部材４ａのガス出側蓋板５に相対する側の面に設けられてなるものは、後述するタイロッド部材がねじ込まれるロッド取付ねじ４ｃである。このロッド取付ねじ４ｃは、図示省略しているが、蓋部材４ａの径方向の中心を中心とする円線上の４個所に等間隔で設けられている。
【００１８】
前記ガス入側蓋板４の蓋部材４ａに設けられた４個所のロッド取付ねじ４ｃのそれぞれには、両端部に雄ねじ（図示省略）が螺刻されてなるタイロッド部材６の一端側がねじ込まれている。そして、これらロッド取付ねじ４ｃに貫通孔を介して、後述する構成になる複数のセグメント部材である環状セグメント部材７が積層状に組込まれると共に、これらタイロッド部材６それぞれの他端側にナット（締結手段）６ａが螺着されることにより、ケーシング２内に収納された状態で締結されている。なお、この形態１の場合には、上記のとおり、ケーシング２内に４個の環状セグメント部材７が収納されているが、３個であっても、また５個以上であっても良いので、４個に限定されるものではない。また、４本のタイロッド部材６が用いられているが、３本であっても、５本以上であっても良いので、４本に限定されるものではない。
【００１９】
前記環状セグメント部材７は、平板を円筒形状に曲げ形成したセグメント筒体７ａと、それぞれの外縁部がこのセグメント筒体７ａの両端部に連なる２枚の中抜き円板７ｃを備えている。２枚の中抜き円板７ｃはそれぞれ、タイロッド部材６がロッド挿通用パイプ７ｆを介して貫通する４個の貫通孔７ｅを有すると共に、径方向の中心部にセグメント筒体７ａと同心の中抜き穴７ｄを有する中抜き板である。そして、セグメント筒体７ａと２枚の中抜き円板７ｃとに囲まれて形成されてなる環状空間７ｇにステンレスウール等からなる吸音材７ｈが充填されている。
【００２０】
以下、上記構成になるサイレンサー１の作用態様を説明する。本発明に係るサイレンサー１によれば、ガス出側蓋板５をケーシング用筒体３から取外し、タイロッド部材６からナット６ａを取外すことにより、積層状に組込まれている複数の環状セグメント部材７をケーシング２内から個別に取出すことができる。そして、ケーシング２の内部を洗浄すると共に、ケーシング２内に新品の環状セグメント部材７を組込み、タイロッド部材６の先端の雄ねじにナット６ａを螺着して締結した後に、取外したガス出側蓋板５をケーシング用筒体３に取付けることにより、サイレンサー１を元の使用可能な状態に復元することができる。つまり、本発明に係るサイレンサー１では、一体構成になる従来例に係るサイレンサーのように、洗浄する必要がある場合に、サイレンサーを切断すると共に洗浄した後に溶接により復元する必要がなく、また新品に交換するのは環状セグメント部材７だけである。従って、本発明に係るサイレンサー１によれば、従来例よりメンテナンスに関して有利になるという効果が得られる。
【００２１】
本発明の形態２に係るサイレンサーを、添付図面を参照しながら説明する。図４は本発明の形態２に係るサイレンサーの側面断面図、図５はサイレンサーの環状セグメント部材の側面断面図である。なお、本発明の形態２が上記形態１と相違するところは、環状セグメント部材の構成の相違にあるから、同一のものに同一符号を付し、主としてその相違する点について以下に説明する。
【００２２】
環状セグメント部材７′は、図１乃至３に示した本発明の形態１に係るサイレンサーの構成に加え、２枚の中抜き円板７ｃの中抜き穴７ｄに両端部が連なり、かつセグメント筒体７ａより小寸の筒形状に形成された多孔板からなる内側筒体７ｂを有してなるものである。この構成によって、環状セグメント部材７′の２枚の中抜き円板７ｃとさらに内側筒体７ｂによって形成されてなる環状空間７ｇ′を、内側筒体７ｂに設けられた多孔を除いて外部と連通しない閉じた空間とすることができる。そのため、ステンレスウール等からなる吸音材７ｈを環状空間７ｇ′に充填した後、吸音材７ｈの変形を抑止するために、吸音材７ｈを環状空間７ｇ′に近似した形状のものに形成するような処置を不要とすることができる。また、メンテナンスに関する効果は、上記形態１に係るサイレンサーと同等である。
【００２３】
本発明の形態３に係るサイレンサーを、添付図面を参照しながら説明する。図６は本発明の形態３に係るサイレンサーの側面断面図、図７はサイレンサーの環状セグメント部材の側面断面図、図８は図７のＢ矢視図である。なお、本発明の形態２が上記形態１と相違するところは、環状セグメント部材の構成の相違にあるから、同一のものに同一符号を付し、主としてその相違する点について以下に説明する。
【００２４】
即ち、環状セグメント部材８は、平板を円筒形状に曲げ形成したセグメント筒体８ａと、このセグメント筒体８ａの一方の端部に外縁部が連なり、このセグメント筒体８ａと同心の中抜き穴８ｃを有し、かつタイロッド部材６が貫通する貫通孔８ｄを有する中抜き板である中抜き円板８ｂとから構成されている。以上の説明から良く理解されるように、本形態３に係るサイレンサー１は拡張音式サイレンサーである。
【００２５】
本形態３に係るサイレンサー１によれば、上記形態１に係るサイレンサーと同様に、ガス出側蓋板５をケーシング用筒体３から取外し、タイロッド部材６からナット６ａを取外すことにより、積層状に組込まれている複数の環状セグメント部材８をケーシング２内から個別に取出すことができる。そして、取外した環状セグメント部材８を洗浄すると共に、ケーシング２の内部を洗浄した後に、ケーシング２内に洗浄した環状セグメント部材８を組込み、タイロッド部材６の先端の雄ねじにナット６ａを螺着して締結する。次いで、取外したガス出側蓋板５をケーシング用筒体３に取付けることにより、サイレンサー１を元の状態に復元することができるから、本形態３に係るサイレンサー１は、上記形態１に係るサイレンサーと同等の効果がある。
【００２６】
本発明の形態４に係るサイレンサーを、添付図面を参照しながら説明する。図９は本発明の形態４に係るサイレンサーの側面断面図、図１０はサイレンサーの環状セグメント部材の側面断面図、図１１は図１０のＣ矢視図である。なお、本発明の形態４が上記形態１と相違するところは、上記形態２、および形態３の場合と同様に、セグメント部材の構成の相違にあるから、同一のものに同一符号を付し、主としてその相違する点について以下に説明する。
【００２７】
即ち、環状セグメント部材９は、前記ケーシング２内に組込まれたときに、ケーシング２の内壁との間に隙間が生じる外径になるように円筒形状に曲げ形成された多孔板からなるセグメント筒体９ａと、このセグメント筒体９ａの一方の端部に接合され、前記セグメント筒体９ａと同心の中抜き穴９ｃを有し、かつタイロッド部材６が貫通する貫通孔９ｄを有する中抜き板である中抜き円板９ｂとから構成されている。以上の説明から良く理解されるように、本形態３に係るサイレンサー１は、上記形態２に係るサイレンサーと同様に、拡張音式サイレンサーであるが、環状セグメント部材９に多孔板からなるセグメント筒体９ａを採用しているので、上記形態２に係るサイレンサーよりも優れた消音効果を得ることができる。
【００２８】
本形態４に係るサイレンサー１によれば、上記形態１に係るサイレンサーと同様に、ガス出側蓋板５をケーシング用筒体３から取外し、タイロッド部材６からナット６ａを取外すことにより、積層状に組込まれている複数の環状セグメント部材９をケーシング２内から個別に取出すことができる。そして、取外した環状セグメント部材９を洗浄すると共に、ケーシング２の内部を洗浄した後に、ケーシング２内に洗浄した環状セグメント部材９を組込み、タイロッド部材６の先端の雄ねじにナット６ａを螺着して締結する。次いで、取外したガス出側蓋板５をケーシング用筒体３に取付けることにより、サイレンサー１を元の状態に復元することができるから、本形態４に係るサイレンサー１は、上記形態１に係るサイレンサーと同等の効果がある。なお、本形態４に係る環状セグメント部材９では、上記のとおり、環状セグメント部材９の多孔板からなるセグメント筒体９ａは、ケーシング２内に組込まれたときに、ケーシング２の内壁との間に隙間が生じる外径になるように形成されている。従って、ガスがこのセグメント筒体９ａを通過する際の減音効果があり、また環状セグメント部材９の組込み、取外しが容易になるという効果がある。
【００２９】
なお、以上の本発明の形態１乃至４においては、上記のとおり、ケーシング用筒体、セグメント筒体、内側筒体を全て円筒形状に形成した場合を例として説明したが、これら各筒体は円筒形状に限るものではない。例えば、それぞれの筒体の断面形状を矩形状とし、中抜き板の外縁形状を矩形状にしても良い。
【図面の簡単な説明】
【００３０】
【図１】本発明の形態１に係るサイレンサーの側面断面図である。
【図２】本発明の形態１に係るサイレンサーの環状セグメント部材の側面断面図である。
【図３】図２のＡ矢視図である。
【図４】本発明の形態２に係るサイレンサーの側面断面図である。
【図５】本発明の形態２に係るサイレンサーの環状セグメント部材の側面断面図である。
【図６】本発明の形態３に係るサイレンサーの側面断面図である。
【図７】本発明の形態３に係るサイレンサーの環状セグメント部材の側面断面図である。
【図８】図７のＢ矢視図である。
【図９】本発明の形態４に係るサイレンサーの側面断面図である。
【図１０】本発明の形態４に係るサイレンサーの環状セグメント部材の側面断面図である。
【図１１】図１０のＣ矢視図である。
【図１２】従来例に係る吸音式サイレンサーの模式的側面断面図である。
【図１３】図１２のＤ−Ｄ線断面図である。
【符号の説明】
【００３１】
１…サイレンサー
２…ケーシング
３…ケーシング用筒体
４…ガス入側蓋板，４ａ…蓋部材，４ｂ…ガス入口
５…ガス出側蓋板，５ａ…蓋部材，５ｂ…ガス出口
６…タイロッド部材，６ａ…ナット
７，７′…環状セグメント部材，７ａ…セグメント筒体，７ｂ…内側筒体，７ｃ…中抜き円板，７ｄ…中抜き穴，７ｅ…貫通孔，７ｆ…ロッド挿通用パイプ，７ｇ，７ｇ′…環状空間，７ｈ…吸音材
８…環状セグメント部材，８ａ…セグメント筒体，８ｂ…中抜き円板，８ｃ…中抜き穴，８ｄ…貫通孔
９…環状セグメント部材，９ａ…セグメント筒体，９ｂ…中抜き円板，９ｃ…中抜き穴，９ｄ…貫通孔
【図１】
2005171967.tif 000003
【図２】
2005171967.tif 000004
【図３】
2005171967.tif 000005
【図４】
2005171967.tif 000006
【図５】
2005171967.tif 000007
【図６】
2005171967.tif 000008
【図７】
2005171967.tif 000009
【図８】
2005171967.tif 000010
【図９】
2005171967.tif 000011
【図１０】
2005171967.tif 000012
【図１１】
2005171967.tif 000013
【図１２】
2005171967.tif 000014
【図１３】
2005171967.tif 000015